【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
第１のレンズ装置と第２のレンズ装置を含み、
該第１のレンズ装置は、第１のフォーカスレンズと、該第１のフォーカスレンズを駆動するための第１のフォーカス駆動手段と、位相差検出方式によって１以上の被写体の第１の合焦情報を検出する第１の合焦検出手段と、該第１のフォーカスレンズの駆動を制御する第１のフォーカス制御手段と、を有し、
該第２のレンズ装置は、第２のフォーカスレンズと、該第２のフォーカスレンズを駆動するための第２のフォーカス駆動手段と、位相差検出方式によって１以上の被写体の第２の合焦情報を検出する第２の合焦検出手段と、該第２のフォーカスレンズの駆動を制御する第２のフォーカス制御手段と、を有し、
該第１のレンズ装置において、該第１のフォーカス制御手段は、該第１の合焦検出手段により検出された該第１の合焦情報に基づいて第１のフォーカス目標位置を設定し、該第１のフォーカス目標位置に基づいて該第１のフォーカスレンズを駆動し、
該第２のレンズ装置において、該第２のフォーカス制御手段は、該第１のレンズ装置から、該第１のフォーカス目標位置、又は該第１のフォーカス目標位置に対応する情報を取得し、該第１のフォーカス目標位置、又は該第１のフォーカス目標位置に対応する情報に基づいてフォーカス範囲を設定し、該フォーカス範囲、及び該第２の合焦検出手段で検出された第２の合焦情報に基づいて該第２のフォーカスレンズを駆動する、
ことを特徴とする光学装置。
【請求項２】
第１のレンズ装置と第２のレンズ装置を含み、
該第１のレンズ装置は、第１のフォーカスレンズと、該第１のフォーカスレンズを駆動するための第１のフォーカス駆動手段と、位相差検出方式によって１以上の被写体の第１の合焦情報を検出する第１の合焦検出手段と、該第１のフォーカスレンズの駆動を制御する第１のフォーカス制御手段と、を有し、
該第２のレンズ装置は、第２のフォーカスレンズと、該第２のフォーカスレンズを駆動するための第２のフォーカス駆動手段と、位相差検出方式によって１以上の被写体の第２の合焦情報を検出する第２の合焦検出手段と、該第２のフォーカスレンズの駆動を制御する第２のフォーカス制御手段と、を有し、
該第１のレンズ装置において、該第１のフォーカス制御手段は、与えられた第１のフォーカス目標位置に基づいて該第１のフォーカスレンズを駆動し、
該第２のレンズ装置において、該第２のフォーカス制御手段は、該第１のレンズ装置から、該第１の合焦検出手段で検出された該第１の合焦情報、及び該第１のフォーカス目標位置に基づく、第１のフォーカス参照位置、又は該第１のフォーカス参照位置に対応する情報を取得し、及び、該第１のフォーカス参照位置に対する前記第１のフォーカス目標位置のデフォーカス量を取得し、該第１のフォーカス参照位置、又は該第１のフォーカス参照位置に対応する情報に基づいてフォーカス範囲を設定し、該フォーカス範囲、該第２の合焦検出手段で検出された該第２の合焦情報、及び前記デフォーカス量に基づいて該第２のフォーカスレンズを駆動する、
ことを特徴とする光学装置。
【請求項３】
合焦するフォーカス位置に対しフォーカス位置が所定量ずれたときのピントずれ量を示すフォーカス敏感度を演算するフォーカス敏感度演算手段を有し、演算されたフォーカス敏感度が所定量よりも小さい場合には、前記第２のフォーカス制御手段は、前記第１のレンズ装置の前記第１のフォーカス目標位置に基づいて、前記第２のフォーカスレンズを駆動する、ことを特徴とする請求項１又は２に記載の光学装置。
【請求項４】
前記第２のレンズ装置の前記第２のフォーカス制御手段は、前記第１のレンズ装置から前記第１のフォーカスレンズの前記第１のフォーカス目標位置までの駆動速度を取得し、該駆動速度で前記第２のフォーカスレンズを駆動することを特徴とする請求項１乃至３のいずれか１項に記載の光学装置。
【請求項５】
前記第２のレンズ装置の前記第２のフォーカス制御手段は、前記第１のレンズ装置から前記第１のフォーカスレンズの前記第１のフォーカス目標位置までの駆動時間を取得し、該駆動時間をもとに前記第１のフォーカスレンズの前記第１のフォーカス目標位置までの駆動速度を算出し、該駆動速度で前記第２のフォーカスレンズを駆動することを特徴とする請求項１乃至３のいずれか１項に記載の光学装置。
【請求項６】
前記第１のフォーカス目標位置に対応する情報とは、前記第１のレンズ装置から、前記第１のフォーカス目標位置において合焦する物体までの距離情報であることを特徴とする請求項１に記載の光学装置。
【請求項７】
前記第１のフォーカス参照位置に対応する情報とは、前記第１のレンズ装置から、前記第１のフォーカス参照位置において合焦する物体までの距離情報であることを特徴とする請求項２に記載の光学装置。
【手続補正２】
【補正対象書類名】明細書
【補正対象項目名】０００９
【補正方法】変更
【補正の内容】
【０００９】
本発明の光学装置は、第１のレンズ装置と第２のレンズ装置を含み、該第１のレンズ装置は、第１のフォーカスレンズと、該第１のフォーカスレンズを駆動するための第１のフォーカス駆動手段と、位相差検出方式によって１以上の被写体の第１の合焦情報を検出する第１の合焦検出手段と、該第１のフォーカスレンズの駆動を制御する第１のフォーカス制御手段と、を有し、該第２のレンズ装置は、第２のフォーカスレンズと、該第２のフォーカスレンズを駆動するための第２のフォーカス駆動手段と、位相差検出方式によって１以上の被写体の第２の合焦情報を検出する第２の合焦検出手段と、該第２のフォーカスレンズの駆動を制御する第２のフォーカス制御手段と、を有し、該第１のレンズ装置において、該第１のフォーカス制御手段は、該第１の合焦検出手段により検出された該第１の合焦情報に基づいて第１のフォーカス目標位置を設定し、該第１のフォーカス目標位置に基づいて該第１のフォーカスレンズを駆動し、該第２のレンズ装置において、該第２のフォーカス制御手段は、該第１のレンズ装置から、該第１のフォーカス目標位置、又は該第１のフォーカス目標位置に対応する情報を取得し、該第１のフォーカス目標位置、又は該第１のフォーカス目標位置に対応する情報に基づいてフォーカス範囲を設定し、該フォーカス範囲、及び該第２の合焦検出手段で検出された第２の合焦情報に基づいて該第２のフォーカスレンズを駆動する、ことを特徴とする。
【手続補正３】
【補正対象書類名】明細書
【補正対象項目名】００１０
【補正方法】変更
【補正の内容】
【００１０】
本発明の光学装置の別の態様においては、第１のレンズ装置と第２のレンズ装置を含み、該第１のレンズ装置は、第１のフォーカスレンズと、該第１のフォーカスレンズを駆動するための第１のフォーカス駆動手段と、位相差検出方式によって１以上の被写体の第１の合焦情報を検出する第１の合焦検出手段と、該第１のフォーカスレンズの駆動を制御する第１のフォーカス制御手段と、を有し、該第２のレンズ装置は、第２のフォーカスレンズと、該第２のフォーカスレンズを駆動するための第２のフォーカス駆動手段と、位相差検出方式によって１以上の被写体の第２の合焦情報を検出する第２の合焦検出手段と、該第２のフォーカスレンズの駆動を制御する第２のフォーカス制御手段と、を有し、該第１のレンズ装置において、該第１のフォーカス制御手段は、与えられた第１のフォーカス目標位置に基づいて該第１のフォーカスレンズを駆動し、該第２のレンズ装置において、該第２のフォーカス制御手段は、該第１のレンズ装置から、該第１の合焦検出手段で検出された該第１の合焦情報、及び該第１のフォーカス目標位置に基づく、第１のフォーカス参照位置、又は該第１のフォーカス参照位置に対応する情報を取得し、及び、該第１のフォーカス参照位置に対する前記第１のフォーカス目標位置のデフォーカス量を取得し、該第１のフォーカス参照位置、又は該第１のフォーカス参照位置に対応する情報に基づいてフォーカス範囲を設定し、該フォーカス範囲、該第２の合焦検出手段で検出された該第２の合焦情報、及び前記デフォーカス量に基づいて該第２のフォーカスレンズを駆動する、ことを特徴とする。